(57)【要約】【課題】  コンパクトで持ち運びや自動車への載せ降ろしが容易であり、小型車にも搭載可能であり、トレイをセットしたままで折り畳むことができ、折畳み状態で垂直に自立可能であり、不使用時に場所をとらない理美容用ワゴンを提供する。【解決手段】  理美容用ワゴンは、フレームは前脚を備えた前杆と後脚を備えた後杆を備え、前杆と後杆は上端側又は中央付近が連結軸で軸支されて、少なくとも前記連結軸よりも下の前脚と後脚が前記連結軸を支軸として開閉可能であり、前脚と後脚とを互いに離れる方向に開くと前杆と後杆で自立可能であり、前記前脚と後脚を互いに近づく方向に閉じて前記前杆と後杆の一方を他方の内側に重ねて折り畳むと、前記前脚下端部と後脚下端部が外側逆方向に開いて設置面に対して垂直に自立可能なものである。【選択図】    図１
2015073620.tif 000002
【特許請求の範囲】
【請求項１】
フレームに棚とトレイの双方又は一方を備え、フレームの下に移動車輪（キャスタ）を備えた理美容用ワゴンにおいて、
前記フレームは前脚を備えた前杆と後脚を備えた後杆を備え、
前記前杆と後杆は上端側又は中央付近が連結軸で軸支されて、少なくとも前記連結軸よりも下の前脚と後脚が前記連結軸を支軸として開閉可能であり、
前記前脚と後脚とを互いに離れる方向に開くと前杆と後杆で自立可能であり、前記前脚と後脚を互いに近づく方向に閉じて前記前杆と後杆の一方を他方の内側に重ねて折り畳むと、前記前脚下端部と後脚下端部が外側逆方向に開いて設置面に対して垂直に自立可能である、
ことを特徴とする理美容用ワゴン。
【請求項２】
請求項１記載の理美容用ワゴンにおいて、
前杆又は／及び後杆にトレイ支持用の支持レールが設けられ、
前記支持レールはその長手方向一端にトレイを出し入れするための出し入れ口が開口され、他端にトレイの抜け落ちを防止する抜け止め材を備え、
前記支持レールは折畳み時に前記出し入れ口が上方を向くように前杆又は／及び後杆に設けられ、支持レールにトレイを挿し込んだまま前杆と後杆を折り畳んでもトレイが支持レールから落下しないようにした、
ことを特徴とする理美容用ワゴン。
【請求項３】
請求項１又は請求項２記載の理美容用ワゴンにおいて、
前杆又は／及び後杆の上下方向に支持レールが多段に設けられ、
前記夫々の支持レールにトレイをセット可能であり、
前記支持レールは折畳み時に全ての出し入れ口が上方を向くようにして、トレイが支持レールから落下しないようにした、
ことを特徴とする理美容用ワゴン。
【請求項４】
請求項１から請求項３のいずれか１項に記載の理美容用ワゴンにおいて、
前杆は二本の前脚を備え、
後杆は二本の後脚を備え、
前記二本の前脚の間隔と前記二本の後脚の間隔を、いずれか一方の間隔が他方の間隔よりも広くして、間隔の狭い方の脚が広い方の脚間の内側に収まるようにした、
ことを特徴とする理美容用ワゴン。
【請求項５】
請求項１から請求項４のいずれか１項に記載の理美容用ワゴンにおいて、
前杆と後杆をＸ字状に交差させて配置し、
前記交差部分が連結軸で開閉可能に軸支された、
ことを特徴とする理美容用ワゴン。
【請求項６】
請求項１から請求項４のいずれか１項に記載の理美容用ワゴンにおいて、
前杆と後杆を下向きＶ字状に配置し、
前記前杆の上端部と後杆の上端部が連結軸で開閉可能に軸支された、
ことを特徴とする理美容用ワゴン。
【発明の詳細な説明】
【技術分野】
【０００１】
本発明は、鋏、剃刀、櫛、化粧品等の理美容用用具をのせたり、収容したりするための理美容用ワゴンに関するものである。
【背景技術】
【０００２】
理美容技術者が作業の際必要な用具として、理美容用ワゴンがある（特許文献１）。この理美容用ワゴンは、鋏、剃刀、櫛、化粧品等の理美容用用具を収容可能なトレイや棚を備えたものである。
【先行技術文献】
【特許文献】
【０００３】
【特許文献１】特開２００６−２５５３９９号公報
【発明の概要】
【発明が解決しようとする課題】
【０００４】
近年、老人介護の一環として、理美容に関する出張サービスを行う機会が増加している。出張サービスの際は、理美容用ワゴンを自動車に載せて持参する必要がある。従来、固定式、積重ね式、折畳み式の理美容用ワゴンが知られているが、これらはいずれも嵩張るため、サイズの大きな自動車を用いる必要があったが、サイズの大きな自動車を用いる場合、載せ降ろしが面倒であった。トレイを取り外して自動車に載せると、使用時にトレイを挿し込んで理美容用用具をセットし直さなければならないという面倒もあった。
【０００５】
また、理美容用ワゴンを理美容院で使用する場合、不使用時や閉店後には店の隅に置いておくのが一般的であるが、置き場所をとるという難点があった。前記特許文献１の理美容用ワゴンは、複数の理美容用ワゴンを重ね置きできるように構成されているため、場所はとらないが、重ね置きするには、その都度トレイを取り外さなければならないという面倒があった。従来は、折畳み式のワゴンもあるが、薄く折り畳むことができず、折り畳んだときに自立できないため、壁や椅子等に立て掛けなければないといった不便もあった。また、折り畳むときにトレイを取り外さなければならず、取り外したトレイは次の使用時に理美容用ワゴンにセットしなければならないといった面倒があった。
【０００６】
本発明は前記事情に鑑みてなされたものであり、その解決課題は、折り畳むと薄く（コンパクトに）なって持ち運びや自動車への載せ降ろしが容易であり、小型車であっても搭載可能であり、トレイをセットしたまま折り畳むことができ、折畳み状態で垂直（略垂直を含む：発明の詳細な説明及び特許請求の範囲において同じ）に自立可能であり、不使用時に場所をとらない理美容用ワゴンを提供することにある。
【課題を解決するための手段】
【０００７】
本発明の理美容用ワゴンは、フレームに棚とトレイの双方又は一方を備え、フレームの下に移動車輪（キャスタ）を備えた理美容用ワゴンにおいて、前記フレームは前脚を備えた前杆と後脚を備えた後杆を備え、前記前杆と後杆は上端側又は中央付近が連結軸で軸支されて、少なくとも前記連結軸よりも下の前脚と後脚が前記連結軸を支軸として開閉可能であり、前脚と後脚とを互いに離れる方向に開くと前杆と後杆で自立可能であり、前記前脚と後脚を互いに近づく方向に閉じて前記前杆と後杆の一方を他方の内側に重ねて折り畳むと、前記前脚下端部と後脚下端部が外側逆方向に開いて設置面に対して垂直に自立可能としたものである。
【０００８】
本発明の理美容用ワゴンは、前記理美容用ワゴンにおいて、前杆又は／及び後杆にトレイ支持用の支持レールが設けられ、当該支持レールはその長手方向一端にトレイを出し入れするための出し入れ口が開口され、他端にトレイの抜け落ちを防止する抜け止め材を備え、当該支持レールは折畳み時に前記出し入れ口が上方を向くように前杆又は／及び後杆に設けられ、支持レールにトレイを挿し込んだまま前杆と後杆を折り畳んでもトレイが支持レールから脱落（落下）しないようにしてある。前杆又は／及び後杆の上下方向に支持レールを多段に設けて、夫々の支持レールにトレイをセットできるようにすることもできる。この場合、前記折畳み時に、全ての支持レールの出し入れ口が上方を向くようにして、トレイが支持レールから落下しないようにする。
【０００９】
本発明の理美容用ワゴンは、前記いずれかの理美容用ワゴンにおいて、前杆は二本の前脚を備え、後杆は二本の後脚を備え、二本の前脚の間隔と二本の後脚の間隔を、いずれか一方の間隔が他方の間隔よりも広くして、間隔の狭い方の脚が広い方の脚間の内側に収まるようにしてある。
【００１０】
本発明の理美容用ワゴンは、前記いずれかの理美容用ワゴンにおいて、前杆と後杆をＸ字状（略Ｘ字状を含む：発明の詳細な説明及び特許請求の範囲おいて同じ）に交差させて配置して、その交差部分を連結軸で開閉可能に軸支してもよく、前杆と後杆の上端部を下向きＶ字状（略Ｖ字状を含む：発明の詳細な説明及び特許請求の範囲おいて同じ）に配置して、前杆の上端部と後杆の上端部を連結軸で開閉可能に軸支してもよい。
【発明の効果】
【００１１】
本発明の理美容用ワゴンは、次のような効果を奏する。
（１）折り畳むことによってコンパクトにすることができるので、持ち運びが容易である。このため、理美容院内のみならず、出張用として持ち出す場合に自動車への載せ降ろしも容易になる。
（２）理美容用ワゴンの折畳み時に、支持レールの出し入れ口が上方を向くようにした場合、支持レールに差し込んだ（セットした）トレイが落下することがないので、支持レールにトレイをセットしたまま折り畳むことができる。
（３）トレイを支持レールに差し込んだままにしておくことができ、ワゴン本体とトレイを別々に保管する必要がないので、トレイの混積や紛失の心配がない。
（４）折り畳んだ状態で垂直に自立できるので、二台以上を前後に重ねても場所をとらず、作業の邪魔にならない。
【図面の簡単な説明】
【００１２】
【図１】本発明の理美容用ワゴンの一例を示す斜視図。
【図２】（ａ）は図１の理美容用ワゴンの下段支持レールの詳細図、（ｂ）は（ａ）のＹ−Ｙ断面図、（ｃ）は（ａ）のＺ−Ｚ断面図。
【図３】図１の理美容用ワゴンの背面上方側斜視図。
【図４】（ａ）〜（ｄ）は図１の理美容用ワゴンの折畳み方の説明図。
【図５】本発明の理美容用ワゴンの他例を示す斜視図。
【図６】図５の理美容用ワゴンの展開時側面図。
【図７】図５の理美容用ワゴンの折畳み時側面図。
【図８】（ａ）は後杆の取付け部材に突起がある場合における前杆と後杆の連結部分の説明図、（ｂ）は後杆の取付け部材に突起がない場合における前杆と後杆の連結部分の説明図。
【図９】（ａ）〜（ｃ）は図５の理美容用ワゴンの折畳み方の説明図。
【発明を実施するための形態】
【００１３】
（実施形態１）
本発明の理美容用ワゴン（以下、単に「ワゴン」という）の一例を、図面を参照して説明する。一例として図１に示すワゴン１は、フレーム２に棚３とトレイ４を備えたものであり、フレーム２の前杆５と後杆６とが中央付近で軸支されて、側面視略Ｘ字状に形成され、図４（ａ）のように展開したり、図４（ｄ）のように折り畳んだりできるように構成されている。
【００１４】
前杆５は、丸パイプを背面視下向きコ字状にしてあり、下端側に前脚７ａ、７ｂが設けられ、両前脚７ａ、７ｂ間であって前杆５の上方側にハンドル８が設けられている。前脚７ａ、７ｂの部分は、設置面Ｇに対して垂直又は略垂直になるように折り曲げられている。前脚７ａ、７ｂには移動用の前脚キャスタ９ａ、９ｂが設けられている。両前脚７ａ、７ｂの間には、細長板状の補強材１０が架設され、両前脚７ａ、７ｂの間隔が不用意に広がったり狭くなったりしないようにしてある。補強材１０はトレイ４の底面より数ｍｍ程度下側に設けられ、引き出したトレイ４に荷重がかかった場合に、トレイ４の下方を支持してトレイ４の落下を防止する役割も果たす。なお、この実施形態では、前杆５として丸パイプを用いる場合を一例として説明しているが、前杆５は角パイプ等の丸パイプ以外のものを用いることもできる。
【００１５】
前記後杆６は丸パイプを正面視上向きＵ字状にした部材である。後杆６は前杆５の内側に配置され、両者の中間部分（交差部分）が連結軸（連結ピン）１１で開閉可能に連結（軸支）されている。前杆５と後杆６とは連結ピン１１を回転軸として回転可能としてあり、展開時には図１や図４（ａ）のように側面視Ｘ字状となり、折畳み時には図４（ｄ）のように側面視Ｉ字状（略Ｉ字状を含む：発明の詳細な説明及び特許請求の範囲おいて同じ）となるようにしてある。なお、この実施形態では、後杆６として丸パイプを用いる場合を一例として説明しているが、後杆６は角パイプ等の丸パイプ以外のものを用いることもできる。
【００１６】
後杆６の下端側の横杆６ａには、下向きに突出する後脚１２ａ、１２ｂが間隔をあけて設けられている。後脚１２ａ、１２ｂは、前脚７ａ、７ｂと同様、設置面Ｇに対して垂直又は略垂直になるように折り曲げられている。後脚１２ａ、１２ｂには移動用の後脚キャスタ１３ａ、１３ｂが設けられている。この実施形態では、後杆６が上向きＵ字状の場合を一例に説明しているが、後杆６の形状及び構造はこれ以外であってもよい。具体的には、二本の縦杆（図示しない）と当該両縦杆の間に配設される横杆（図示しない）を、正面視Ｈ字状となるように連結し、両縦杆の下端（後脚１２ａ、１２ｂに相当する）に後脚キャスタ１３ａ、１３ｂを設けたものとすることができる。この場合、両縦杆の下端側を、設置面Ｇに対して垂直又は略垂直になるように折り曲げておく。
【００１７】
両後脚１２ａ、１２ｂ（二本の縦杆を用いる場合の縦杆を含む。以下同じ。）の間隔Ｗ２は、両前脚７ａ、７ｂの間隔Ｗ１よりも狭くしてあり（後杆６として二本の縦杆を用いる場合は、縦杆の下端側を内側に折り曲げて両前脚７ａ、７ｂの間隔Ｗ１よりも狭くなるようにしてある。以下同じ。）、ワゴン１の折畳み時に、後杆６の両後脚１２ａ、１２ｂが、前杆５の両前脚７ａ、７ｂの間に収まる（通過する）ようにしてある。このようにすると、ワゴン１の折畳み時に、後杆６の両後脚１２ａ、１２ｂが前杆５の両前脚７ａ、７ｂの間に収まり、後杆６の両後脚１２ａ、１２ｂと前杆５の両前脚７ａ、７ｂが、ワゴン１の展開時とは逆の位置関係となって（図４（ｄ））自立可能となる。
【００１８】
前杆５と後杆６の交差部分より下方には、トレイ４を支持するための支持レール１４が設けられている。一例として図１に示す支持レール１４は、二本のコ字型の細長材１５がその開口部１６が対向して平行に取り付けられたものであり、二本の細長材１５の間にトレイ４の上縁１７を差し込んで前後にスライド可能としてある。二本の細長材１５の後端部間は連結材１８で連結されて両細長材１５を補強してある。連結材１８は、差し込んだトレイ４が後方に突き抜けて落下しないようにする抜け止め材として機能する。また、連結材１８を設けることにより、両細長材１５の拡がりを防止することができる。連結材１８には、角パイプや丸パイプ等のパイプ材のほか、丸棒や角棒等の棒材、平板、コ字型チャンネル等を用いることができる。二本の細長材１５の先端側には、トレイ４を出し入れするための出し入れ口１９が開口されている。二本の細長材１５のうち前端部付近の上面には抜止片２０が取り付けられ、トレイ４の上縁１７に設けられたストッパー２１を係止できるようにしてある。
【００１９】
トレイ４を支持レール１４にセットするときは、トレイ４の奥側を斜め下向きに傾けて、ストッパー２１を抜止片２０の下を通過させ、その後にトレイ４を水平に戻せばよい。反対にトレイ４を支持レール１４から抜き取るときは、トレイ４を水平のまま引き出し、ストッパー２１が抜止片２０に到達したところでトレイ４の奥側を斜め下向きに傾けて（トレイ４の引出し方向手前側を上に持ち上げて）、ストッパー２１を抜止片２０の下を通過させ、そのまま引き抜けばよい。
【００２０】
前記支持レール１４は、図２（ａ）〜（ｃ）に示すように、前杆５に取り付けられたクランク２２と、後杆６に設けられた短棒状の後固定材２３に支持されている。クランク２２は、両細長材１５の拡がりを防止できるように、両細長材１５の外側に配置してある。一例として図２（ａ）に示すクランク２２はヘ字状の平板であり、その長手方向一端側に設けられた管状の前支持部２２ａに、前杆５に設けられた挿入棒３４が挿入されて、前杆５に取り付けられている。ヘ字状の平板の他端側には短棒状の後支持部２２ｂが設けられ、その後支持部２２ｂが支持レール１４の細長材１５の裏面に固定された支持パイプ３５に回転自在に軸支されている。前支持部２２ａと後支持部２２ｂの間には、中支持部２２ｃが後支持部２２ｂと同方向に突設され、その中支持部２２ｃで支持レール１４の細長材１５を底面側から支持することによって、支持レール１４を水平位置で支持できるようにしてある。クランク２２は、ヘ字状以外、例えば、前支持部２２ａ、後支持部２２ｂ及び中支持部２２ｃが一直線に並ぶような直線状とすることもできる。
【００２１】
支持レール１４の細長材１５は、支持レール１４が図４（ｂ）〜（ｄ）のように立ち上がっても、当該支持レール１４にセットされたトレイ４が抜け落ちないように、ワゴン１の折畳み時に出し入れ口１９が上方を向くように取り付けられている。
【００２２】
後杆６の上端側には、下向きコ字状のフランジ２４（図１）が設けられている。このフランジ２４の上面には、理美容用用具を直接置くことも、それらを入れるトレイや篭等を置くこともできる棚３の一端側（前方側）が固定されている。棚３の他端側（後方側）の裏面には、前記フランジ２４と同様のフランジ２５が設けられている（以下の説明では、便宜上、前記フランジ２４を「前方フランジ」と、前記フランジ２５を「後方フランジ」という）。一例として図１に示す棚３は、天板３ａと天板３ａの上面に立設された防護柵３ｂを備えたものであるが、棚３はこれ以外の構造とすることもできる。
【００２３】
前記前方フランジ２４と後方フランジ２５の下側には、前記支持レール１４と同様の支持レール２８が取り付けられている（以下の説明では、便宜上、前記支持レール１４を「下段支持レール」と、前記支持レール２８を「上段支持レール」という）。上段支持レール２８も、二本のコ字型の細長材１５がその開口部１６が対向して平行に取り付けられたものであり、二本の細長材１５の間にトレイ４の上縁１７を差し込んで前後にスライド可能としてある。二本の細長材１５の後端部間は連結材１８で連結されて両細長材１５を補強してある。連結材１８は抜け止め材として、差込んだトレイ４が後方に突き抜けて落下しないようにしてある。連結材１８を設けることで、両細長材１５の拡がりが防止される。連結材１８には、角パイプや丸パイプ等のパイプ材のほか、丸棒や角棒等の棒材、平板、コ字型チャンネル等を用いることができる。
【００２４】
二本の細長材１５の先端側は、トレイ４を出し入れするための出し入れ口１９が開口されている。二本の細長材１５のうち前端部付近上面には抜止片２０が取り付けられ、トレイ４の上縁１７に設けられたストッパー２１（図１）が係止して、抜け落ちないようにしてある。トレイ４の上段支持レール２８へのセットや引出しは、下段支持レール１４の場合と同様に行えばよい。
【００２５】
図３に示すように、天板３ａの裏面の幅方向両側には、Ｌ字状の係止棒２６が設けられ、前杆５の上端側に内向きに突設された支持材２７の上部に係止できるようにしてある。両係止棒２６は、その屈折部２６ａが幅方向外向きに突設する向きで天板３ａの裏面に固定してある。両係止棒２６は屈折部２６ａの近傍が細長の連結棒（図示しない）で連結されている。
【００２６】
（使用例１）
本発明のワゴン１の使用例について、図４（ａ）〜（ｄ）を参照して説明する。この使用例は、展開した状態（図４（ａ））のワゴン１を、図４（ｄ）の状態まで折り畳む場合の例である。図４（ａ）〜（ｄ）の例では、支持レール１４、２８からトレイ４を外した状態を示しているが、本発明のワゴン１は、トレイ４を下段支持レール１４と上段支持レール２８の双方にセットしたまま折り畳むことができる。このワゴン１は、トレイ４をセットしたままワンタッチで折畳みが可能であり、折畳み後にトレイ４が落下することがない。また、折畳み状態で、壁などがなくても自立可能なものである。
（１）図４（ｂ）に示すように、下段支持レール１４の前方側（図中左側）を持ち上げるとともに、棚３の天板３ａの裏面に設けられた係止棒２６を支持材２７の上部に沿って水平移動させる（棚３を水平方向に移動させる）。
（２）図４（ｃ）のように、後杆６の両後脚１２ａ、１２ｂを、前杆５の両前脚７ａ、７ｂの間を通過させて、下段支持レール１４を上方に向けて立ち上げた状態で棚３を同図中矢印方向に倒していく。
（３）図４（ｄ）のように、棚３を完全に倒伏させ、折畳み作業を完了する。このとき、下段支持レール１４の出し入れ口１９と上段支持レール２８の出し入れ口１９は、それら支持レール１４、２８にセットされたトレイ４が落下しないように、上向きとなるようにしてある。
（４）前記操作により、ワゴン１は、図４（ｄ）のように、後杆６の両後脚１２ａ、１２ｂと前杆５の両前脚７ａ、７ｂが側面視ハ字状に開いた状態となり、垂直状態でも安定した自立が可能となる。
【００２７】
（実施形態２）
本発明のワゴン１の他例を、図面を参照して説明する。一例として図５に示すワゴン１は、フレーム２に棚３とトレイ４を備えたものであり、フレーム２の前杆５と後杆６とが上端側で軸支されて、側面視下向きＶ字状に形成されており、図６のように展開したり、図７のように折り畳んだりできるように構成されている。
【００２８】
前記前杆５は、間隔をあけて配置された二本の縦杆５ａが細長板状の横杆５ｂで連結されたものである。二本の縦杆５ａの下端側は、ワゴン１を支持する前脚７ａ、７ｂであり、その先端には移動用の前脚キャスタ９ａ、９ｂが設けられている。両前脚７ａ、７ｂは、実施形態１と同様、設置面Ｇに対して垂直又は略垂直となるように折り曲げられている。前杆５の上端側には円盤状の取付け部材２９（図８（ａ）（ｂ））が設けられている。この実施形態では、前杆５として丸パイプを用いているが、前杆５は角パイプ等の丸パイプ以外のものを用いることもできる。
【００２９】
前記後杆６は、丸パイプを正面視上向きＵ字状にした部材であり、後杆６の下側の横杆６ａには、二本の後脚１２ａ、１２ｂが間隔をあけて下向きに突設されている。両後脚１２ａ、１２ｂの先端には、移動用の後脚キャスタ１３ａ、１３ｂが設けられている。両後脚１２ａ、１２ｂも、設置面Ｇに対して垂直又は略垂直となるように折り曲げられている。この実施形態では、後杆６が上向きＵ字状の部材である場合を一例に説明しているが、実施形態１の場合同様、二本の縦杆と当該両縦杆の間に配設される横杆を、正面視Ｈ字状となるように連結し、両縦杆の下端（後脚１２ａ、１２ｂに相当する）に後脚キャスタ１３ａ、１３ｂを設けたものとすることもできる。この場合、両縦杆の下端側は、設置面Ｇに対して垂直又は略垂直になるように折り曲げておく。後杆６の上端側には円盤状の取付け部材３０（図８（ａ）（ｂ））が設けられている。後杆６は角パイプ等の丸パイプ以外のものを用いることもできる。
【００３０】
両後脚１２ａ、１２ｂの間隔Ｗ２は、両前脚７ａ、７ｂの間隔Ｗ１よりも狭くしてあり、ワゴン１の折畳み時に、後杆６の両後脚１２ａ、１２ｂが、前杆５の両前脚７ａ、７ｂの間に収まる（通過する）ようにしてある。このようにすると、ワゴン１の折畳み時に、後杆６の両後脚１２ａ、１２ｂが前杆５の両前脚７ａ、７ｂの間を通過し、後杆６の両後脚１２ａ、１２ｂと前杆５の両前脚７ａ、７ｂが、ワゴン１の展開時とは逆の位置関係となって（図６）自立可能となる。
【００３１】
前記前杆５と後杆６は、棚３の裏面に設けられたＬ字状のフランジ３１の縦材３１ａ（図８（ａ）（ｂ））を、前杆５の取付け部材２９と後杆６の取付け部材３０で挟み込むことによって連結されている。具体的には、図８（ａ）に示すように、取付け部材２９の内面に設けられた突起２９ａ及び取付け部材３０の内面に設けられた突起３０ａを、フランジ３１の縦材３１ａに設けられた固定孔３２に嵌め込み、前杆５の取付け部材２９の外側から、取付け部材２９の外側に溶接固定されたバカ穴の貫通ワッシャー２９ｃ、取付け部材２９の貫通孔２９ｂ、フランジ３１の貫通孔３１ｂ、取付け部材３０の貫通孔３０ｂ、取付け部材３０の外側に溶接固定されたナット３０ｃの順に、留め具３３の螺子軸３３ａを挿通し、その螺子軸３３ａの先端側を取付け部材３０の外側に溶接固定されたナット３０ｃに螺合することによって連結されている。後杆６の取付け部材３０は、図８（ｂ）に示すような突起３０ａのないものとすることもできる。
【００３２】
前記棚３は天板３ａと天板３ａの上面に立設された防護柵３ｂを備えたものであるが、棚３はこれ以外の構造とすることもできる。
【００３３】
棚３（天板３ａ）の裏面には、前方フランジ２４（図５）と後方フランジ２５が、前後に間隔をあけて設けられ、両フランジ２４、２５に上段支持レール２８が取り付けられている。上段支持レール２８は、二本のコ字型の細長材１５がその開口部１６が対向して平行に取り付けられたものであり、二本の細長材１５の間にトレイ４の上縁１７を差し込んで前後にスライド可能としてある。
【００３４】
二本の細長材１５の後端部間は連結材１８で連結されて両細長材１５を補強してある。連結材１８は、差込んだトレイ４が後方に突き抜けて落下しないようにする抜け止め材として機能する。連結材１８を設けることにより、両細長材１５の拡がりを防止することができる。連結材１８には、角パイプや丸パイプ等のパイプ材のほか、丸棒や角棒等の棒材、平板、コ字型チャンネル等を用いることができる。二本の細長材１５の先端側には、トレイ４を出し入れするための出し入れ口１９が開口されている。二本の細長材１５のうち前端部付近上面には抜止片２０が取り付けられ、トレイ４の上縁１７に設けられたストッパー２１が係止して、トレイ４が前に抜け落ちないようにしてある。
【００３５】
上段支持レール２８の細長材１５は、上段支持レール２８が立ち上がっても、当該上段支持レール２８にセットされたトレイ４が抜け落ちないよう、ワゴン１の折畳み時に出し入れ口１９が上方を向くように両フランジ２４、２５に取り付けられている。
【００３６】
前杆５と後杆６の高さ方向中央付近には、下段支持レール１４が設けられている。下段支持レール１４は、前記上段支持レール２８と同様、二本のコ字型の細長材１５がその開口部１６が対向して平行に取り付けられたものであり、二本の細長材１５の間にトレイ４の上縁１７を差し込んで前後にスライド可能としてある。二本の細長材１５の後端部間は連結材１８で連結されて両細長材１５を補強してある。連結材１８は、差込んだトレイ４が後方に突き抜けて落下しないようにする抜け止め材として機能する。また、連結材１８を設けることにより、両細長材１５の拡がりを防止することができる。連結材１８には、角パイプや丸パイプ等のパイプ材のほか、丸棒や角棒等の棒材、平板、コ字型チャンネル等を用いることができる。二本の細長材１５の先端側は、トレイ４を出し入れするための出し入れ口１９が開口されている。二本の細長材１５のうち前端部付近上面には抜止片２０が取り付けられ、トレイ４の上縁１７に設けられたストッパー２１を係止できるようにしてある。
【００３７】
下段支持レール１４は、前記実施形態１と同様に、前杆５に取り付けられたクランク２２と、後杆６に設けられた短棒状の後固定材２３に支持されている（図２参照）。クランク２２は、両細長材１５の拡がりを防止できるように、両細長材１５の外側に配置してある。ここで用いられるクランク２２は、前記実施形態１と同様のヘ字状の平板であり、その長手方向一端側に設けられた管状の前支持部２２ａに、前杆５に設けられた挿入棒３４が挿入されて、前杆５に取り付けられている。ヘ字状の平板の他端側には短棒状の後支持部２２ｂが設けられ、その後支持部２２ｂが支持レール１４の細長材１５の裏面に固定された支持パイプ３５に軸支されている。前支持部２２ａと後支持部２２ｂの間には、中支持部２２ｃが後支持部２２ｂと同方向に突設され、その中支持部２２ｃで支持レール１４の細長材１５を底面側から支持することによって、支持レール１４を水平位置で支持できるようにしてある。クランク２２は、ヘ字状以外、例えば、前支持部２２ａ、後支持部２２ｂ及び中支持部２２ｃが一直線に並ぶように、直線状とすることもできる。
【００３８】
下段支持レール１４の細長材１５は、下段支持レール１４が立ち上がっても、当該下段支持レール１４にセットされたトレイ４が抜け落ちないよう、ワゴン１の折畳み時に出し入れ口１９が図７のように上方を向くように取り付けられている。
【００３９】
（使用例２）
本発明のワゴン１の使用例について、図９（ａ）〜（ｃ）を参照して説明する。この使用例は、展開した状態（図９（ａ）や図６）のワゴン１を図９（ｃ）や図７の状態まで折り畳む場合の例である。このワゴン１もトレイ４をセットしたまま折畳み可能であり、折畳み後にトレイ４が落下することがない。また、折畳み状態で、壁などがなくても自立可能なものである。
（１）図９（ａ）の状態で留め具３３を緩めて、前杆５の取付け部材２９（図８（ａ）（ｂ））と後杆６の取付け部材３０による、フランジ３１の縦材３１ａの挟み込みを解除する。
（２）フランジ３１の縦材３１ａの挟み込みを解除したら、上段支持レール２８及び棚３の片側（図中右側）を起こして、図９（ｂ）のように縦向きにする。上段支持レール２８の出し入れ口１９は、図９（ｂ）の状態で上を向いているため、上段支持レール２８にセットされているトレイ４が落下することはない。
（３）上段支持レール２８と棚３を起こした状態で、下段支持レール１４の片側（図中の右側）を持ち上げ、その動きに連動して前杆５及び後杆６を相互に接近する方向に移動させていく（閉じていく）。前杆５及び後杆６を閉じきると、前脚７ａ、７ｂと後脚９ａ、９ｂとが側面視ハ字状に開いた状態となり、安定した状態で垂直に自立可能となる。
【００４０】
（その他の実施形態）
本発明のワゴン１は、棚３を二段以上設けることもできる。また、トレイ４を一段としたり、三段以上としたりすることもできる。
【産業上の利用可能性】
【００４１】
本発明のワゴン１は、理美容用用具の配置や収容には限られず、医療機器用、調理機器用といった各種分野で利用することもできる。
【符号の説明】
【００４２】
１      理美容用ワゴン（ワゴン）
２      フレーム
３      棚
３ａ    天板
３ｂ    防護柵
４      トレイ
５      前杆
５ａ    縦杆
５ｂ    横杆
６      後杆
６ａ    横杆
７ａ、７ｂ  前脚
８      ハンドル
９ａ、９ｂ  前脚キャスタ
１０    補強材
１１    連結軸（連結ピン）
１２ａ、１２ｂ  後脚
１３ａ、１３ｂ  後脚キャスタ
１４    支持レール（下段支持レール）
１５    細長材
１６    開口部
１７    上縁
１８    連結材
１９    出し入れ口
２０    抜止片
２１    ストッパー
２２    クランク
２２ａ  前支持部
２２ｂ  後支持部
２２ｃ  中支持部
２３    後固定材
２４    フランジ（前方フランジ）
２５    フランジ（後方フランジ）
２６    係止棒
２６ａ  屈折部
２７    支持材
２８    支持レール（上段支持レール）
２９    （前杆の）取付け部材
２９ａ  （取付け部材の）突起
２９ｂ  （取付け部材の）貫通孔
２９ｃ  貫通ワッシャー
３０    （後杆の）取付け部材
３０ａ  （取付け部材の）突起
３０ｂ  （取付け部材の）貫通孔
３０ｃ  ナット
３１    フランジ
３１ａ  （フランジの）縦材
３１ｂ  （フランジの）貫通孔
３２    （縦材に設けられた）固定孔
３３    留め具
３３ａ  （留め具の）螺子軸
３４    挿入棒
３５    支持パイプ
Ｇ      設置面
Ｗ１    両前脚の間隔
Ｗ２    両後脚の間隔
【図１】
2015073620.tif 000003
【図２】
2015073620.tif 000004
【図３】
2015073620.tif 000005
【図４】
2015073620.tif 000006
【図５】
2015073620.tif 000007
【図６】
2015073620.tif 000008
【図７】
2015073620.tif 000009
【図８】
2015073620.tif 000010
【図９】
2015073620.tif 000011